(57)【特許請求の範囲】
【請求項１】
単一の槽内を仕切板によって、主に、トイレ汚水、ディスポーザにより細断された生ゴミ排水、台所排水等の汚濁物質濃度の高い汚水排水を浄化処理する高濃度汚水処理槽と、主に、浴室排水、洗濯排水、洗面排水等の汚濁物質濃度の低い排水を中水に再生処理する低濃度排水処理槽に区画し、その内、一方の高濃度汚水処理槽を隔壁によって、流入する汚水排水の一次処理槽と、当該一次処理水の二次処理槽と、当該二次処理水の処理水槽と、その消毒槽に区画するとともに、他方の低濃度排水処理槽を隔壁によって、流入する排水の一次処理槽と、当該一次処理水の二次処理槽と、当該二次処理水の処理水槽と、その消毒槽、又は、消毒槽と、消毒処理水の貯水槽に区画し、更に、低濃度排水処理槽の消毒槽又は貯水槽が満水状態のときに、当該低濃度排水処理槽の一次処理槽へ流入する排水を、高濃度汚水処理槽の一次処理槽へオーバーフローで流入させるように構成したことを特徴とするディスポーザ対応型のハイブリッド処理槽。
【請求項２】
単一の槽内を仕切板によって、主に、ディスポーザにより細断された生ゴミ排水、台所排水等の汚濁物質濃度の高い排水を浄化処理する高濃度排水処理槽と、主に、浴室排水、洗濯排水、洗面排水等の汚濁物質濃度の低い排水を中水に再生処理する低濃度排水処理槽に区画し、その内、一方の高濃度排水処理槽を隔壁によって、流入する汚水排水の一次処理槽と、当該一次処理水の二次処理槽と、当該二次処理水の処理水槽と、その消毒槽に区画するとともに、他方の低濃度排水処理槽を隔壁によって、流入する排水の一次処理槽と、当該一次処理水の二次処理槽と、当該二次処理水の処理水槽と、その消毒槽、又は、消毒槽と、消毒処理水の貯水槽に区画し、更に、低濃度排水処理槽の消毒槽又は貯水槽が満水状態のときに、当該低濃度排水処理槽の一次処理槽へ流入する排水を、下水道へオーバーフローで放流するように構成したことを特徴とするディスポーザ対応型のハイブリッド処理槽。
【請求項３】
低濃度排水処理槽で処理した中水を、その消毒槽又は貯水槽からポンプアップするように構成したことを特徴とする請求項１又は２に記載のディスポーザ対応型のハイブリッド処理槽。
【発明の詳細な説明】
【０００１】
【発明の属する技術分野】
本発明は、家庭から排出される汚水や排水の処理を、一律に合併処理するのではなく、汚濁物質濃度の高低に応じて分別処理する高濃度処理槽と低濃度処理槽を、単一槽に組み込み一体化することで混成してなる、言わばハイブリッドな処理槽であって、特に、近時、普及しつつあるディスポーザに対応可能とするハイブリッド処理槽に関する。
【０００２】
【従来の技術】
排水処理技術の進展に伴い、し尿汚水を浄化処理する単独浄化槽が廃止され、家庭から排出されるトイレ汚水や、台所排水、浴室排水、洗濯排水、洗面排水等の生活雑排水は、すべて合併処理浄化槽により一律に浄化処理している。
【０００３】
その際、特に、ピーク時に２００〜３００Ｌ／日が流出する浴室排水や洗濯排水に対する合併処理を可能とするため、必然的に、大容量化した合併処理浄化槽とすることを必要不可欠なものとしている。
【０００４】
ところで、合併処理の対象となる前記した汚水排水における汚濁物質濃度について着眼すると、トイレ汚水や台所排水等の場合には、その汚濁物質濃度が極めて高いカテゴリーに属するに対し、前記生活雑排水の中でも、浴室排水、洗濯排水、洗面排水等の場合には、その汚れの程度が極めて低いカテゴリーに属することは、周知のところである。
【０００５】
【発明が解決しようとする課題１】
それを従来の合併処理浄化槽では、前記した汚水排水に対する汚濁物質濃度の高低を考慮することなく、玉石混交させて一律に合併浄化処理に供しており、見方によっては、次のような諸点で非効率なものとなっている。
【０００６】
例えば、汚濁物質濃度の極めて高い有機性汚水の浄化処理能力が、短時間に多量に流入する浴室排水や洗濯排水等により希釈化され易く、また、それが処理斑を惹き起こす原因となる。
【０００７】
そこで、多量流入による影響を軽減し、所定の放流性能を確保するために、流量調整槽とその付帯装置を組み込んだり、槽全体での流量調整ができるようにする等の各種の工夫を付加する等のことで、結果的には、合併処理浄化槽の大容量化を招いている。
【０００８】
他方、汚れ度合の低い浴室排水、洗濯排水、洗面排水等にとって、それが汚濁物質濃度の高い有機性汚水と混じり合うことで、相対的に汚れ度合を高くすることになる。
【０００９】
また、従来の合併処理浄化槽では、汚れ度合の低い排水を、トイレの洗浄用水、洗車用水、庭木の散水用水等の中水として、再利用することができない処理手法としており、節水や、限りある水の有効利用の求められる今日的な課題に応えられない事態でもある。
【００１０】
この点、従来、下水道とは別に、主に、浴室排水や雨水等の雑排水を中水として処理する専用の雑排水処理槽を設置している場合がある。
【００１１】
ところが、下水道施設のない浄化槽地域では、既設の単独浄化槽や合併処理浄化槽に加えて、当該雑排水処理槽を別途設置することが必要となる。
それでは、多大な設備負担や維持管理コストの負担増加を、ユーザーに強いることになる上に、我が国における住宅事情を考慮したとき、限られた設置スペースに、合併処理浄化槽と雑排水処理槽の２槽を設置したり、埋設することが困難な状況が多々ある。
【００１２】
そこで、前記の課題を解決するために、自己の先願に係る特願平１１−３２１１５３号の明細書とその図面において、汚濁物質濃度の高い汚水を浄化処理する汚水処理槽と、汚濁物質濃度の低い排水を再生処理する排水処理槽を、単一槽に組み込み一体化することで混成してなるハイブリッド浄化槽を提供するに至っている。
【００１３】
より具体的には、単一槽に、汚濁物質濃度の高いトイレ汚水や台所排水等を浄化処理する高濃度汚水処理槽と、生活雑排水の中で、比較的汚れ度合の低い浴室排水や洗濯排水や洗面排水等を、トイレの洗浄用水、洗車用水、庭木の散水用水等として、再び利用可能に再生処理する低濃度排水処理槽を組み込んでなるハイブリッド浄化槽を提供している。
【００１４】
他方、近時には、台所の流し台（シンク）の排水口の直下部に、ディスポーザが組み込まれ、台所で発生した野菜屑、魚の骨や頭等、或いは、賞味期限を過ぎたり、食べ残した生ゴミ等を、排水口からディスポーザ内部の回転盤上に投入し、当該回転盤を電動モータにより高速回転することで、ディスポーザ内周に凹凸形成した固定刃と、回転盤に設けたハンマ刃により、機械的に細かく粉砕処理した上で、排水と一緒に流している（以下、それを生ゴミ排水という）。
【００１５】
これにより、生ゴミを台所の室内外に、その回収まで貯めておくことによる悪臭や虫の発生等の事態を防止し、廃棄ゴミを減量化し、特に、定められた曜日、時間等のゴミ出し条件に制約される住民にとっての負担を軽減させている。
【００１６】
【発明が解決しようとする課題２】
ところが、ディスポーザを使用した場合のデメリットとして、それが下水道や浄化槽での汚水処理の負荷を増大させ、また、細断した生ゴミを排水するため水使用量の大幅な増加を招くことになる。
【００１７】
言い換えれば、ディスポーザを用いる場合、通常、生ゴミとして貯められて回収廃棄される筈の生ゴミが、全て細断され生ゴミ排水として排出される。
その結果、細断された野菜屑等のＳＳが、下水配管に堆積した場合の対応や、高くなった負荷に対応できる下水処理施設とするに、多大な費用を必要とすることから、ディスポーザの使用が許可されない下水道地域が多数存在している。
【００１８】
同様に、それを浄化槽により汚水処理を行なう場合には、高くなった負荷に対応する為には、より大きな処理槽、高機能な処理槽が必要となる。
また、粉砕した生ゴミを排水するための水が、余分に必要となる為に、水不足が懸念される地域では、節水を理由にして、その使用を禁止している場合もある。
【００１９】
そこで、本発明では、自己の先願に係る特願平１１―３２１１５３号の明細書及び図面に記載のハイブリッド処理槽を基礎にしながら、その内の汚水処理槽をディスポーザ対応型とすることで、その普及に対処することに着眼したのである。
【００２０】
具体的には、請求項１では、単一の槽内を仕切板によって、主に、トイレ汚水、ディスポーザにより細断された生ゴミ排水、台所排水等の汚濁物質濃度の高い汚水排水を浄化処理する高濃度汚水処理槽と、主に、浴室排水、洗濯排水、洗面排水等の汚濁物質濃度の低い排水を中水に再生処理する低濃度排水処理槽に区画し、その内、一方の高濃度汚水処理槽を隔壁によって、流入する汚水排水の一次処理槽と、当該一次処理水の二次処理槽と、当該二次処理水の処理水槽と、その消毒槽に区画するとともに、他方の低濃度排水処理槽を隔壁によって、流入する排水の一次処理槽と、当該一次処理水の二次処理槽と、当該二次処理水の処理水槽と、その消毒槽、又は、消毒槽と、消毒処理水の貯水槽に区画し、更に、低濃度排水処理槽の消毒槽又は貯水槽が満水状態のときに、当該低濃度排水処理槽の一次処理槽へ流入する排水を、高濃度汚水処理槽の一次処理槽へオーバーフローで流入させるように構成したことを特徴とするディスポーザ対応型のハイブリッド処理槽を提供する。
【００２１】
従って、浄化槽地域におけるハイブリッド浄化槽の汚水処理槽では、主に、トイレ汚水、ディスポーザにより細断された生ゴミ排水、通常の台所排水等の汚濁物質濃度の高い汚水排水を浄化処理することを特徴とする。
【００２２】
また、請求項２では、単一の槽内を仕切板によって、主に、ディスポーザにより細断された生ゴミ排水、台所排水等の汚濁物質濃度の高い排水を浄化処理する高濃度排水処理槽と、主に、浴室排水、洗濯排水、洗面排水等の汚濁物質濃度の低い排水を中水に再生処理する低濃度排水処理槽に区画し、その内、一方の高濃度排水処理槽を隔壁によって、流入する汚水排水の一次処理槽と、当該一次処理水の二次処理槽と、当該二次処理水の処理水槽と、その消毒槽に区画するとともに、他方の低濃度排水処理槽を隔壁によって、流入する排水の一次処理槽と、当該一次処理水の二次処理槽と、当該二次処理水の処理水槽と、その消毒槽、又は、消毒槽と、消毒処理水の貯水槽に区画し、更に、低濃度排水処理槽の消毒槽又は貯水槽が満水状態のときに、当該低濃度排水処理槽の一次処理槽へ流入する排水を、下水道へオーバーフローで放流するように構成したことを特徴とするディスポーザ対応型のハイブリッド処理槽を提供する。
【００２３】
要するに、下水道地域では、トイレ汚水は、下水道管へそのまま排出して下水施設での処理に供することとし、ディスポーザにより細断された生ゴミ排水、台所排水等の汚濁物質濃度の高い排水（トイレ排水を含まない）を、高濃度排水処理槽で処理することにより、ディスポーザの普及に対応することを特徴とする。
【００２４】
従って、前記のようなハイブリッド処理槽とすることにより、ディスポーザを使用することから生ずる負荷の増大という課題を、下水道地域の場合にあっては、下水道、下水処理施設にかける負担を軽減する為に、トイレ排水を含まない生ゴミ排水、台所排水等を処理する高濃度排水処理槽により解決し、また、浄化槽地域の場合には、トイレ汚水を含む生ゴミ排水、台所排水等を高濃度汚水処理槽において、通常の浄化槽と同等レベルまで浄化処理して放流することで対応する。加えるに、「中水利用のための低濃度排水処理槽」を併せ持つことで、水の再利用を促進し、水使用量の増加という課題をも解決する。
【００２５】
その際、単一の槽内を仕切板によって、高濃度汚水処理槽又は高濃度排水処理槽と低濃度排水処理槽に区画することにより、トイレの洗浄用水、洗車用水、庭木の散水用水等の中水として再利用するための低濃度排水処理槽が、高濃度汚水処理槽又は高濃度排水処理槽へ流入する汚水排水等により汚染されないようにしている。
【００２６】
また、低濃度排水処理槽の消毒槽又は貯水槽が満水状態のときに、当該低濃度排水処理槽の一次処理槽へ流入する排水（余剰分）を、浄化槽地域においては、高濃度汚水処理槽の一次処理槽へオーバーフローで流入させることにより、流入排水の余剰分を汚濁物質濃度の高い汚水排水との合併処理に供するとともに、下水道地域においては、下水道へオーバーフローで放流するようにしている。
【００２７】
また、請求項３では、低濃度排水処理槽で消毒処理した中水を、その消毒槽又は貯水槽からポンプアップする手段を組み込むことで、通常、地中に埋設したハイブリッド処理槽から中水を汲み上げて、再利用するに利便としている。
【００２９】
【発明の実施の形態】
以下、本発明に係る実施の形態を、図１に示すハイブリッド処理槽の平面概要図と、図２と図３に示す浄化槽地域に設置されるディスポーザ対応型のハイブリッド処理槽の第１例と第２例の給排水の模式フローと、図４と図５に示すトイレ排水を下水道に流す下水道地域に設置されるディスポーザ対応型のハイブリッド処理槽の第１例と第２例の給排水の模式フローに基づいて説明する。
【００３０】
１は単一槽を２槽に完全分離する仕切板であって、その一方の槽容量の大きい側を、汚濁物質濃度の高い汚水排水を浄化処理する高濃度汚水処理槽Ｘに区画形成し、他方の槽容量の小さい側を、汚濁物質濃度の低い排水を再生処理する低濃度排水処理槽Ｙに区画形成している。
【００３１】
これらの各槽の容量割合は、対象人員の数、ハイブリット処理槽の高濃度汚水処理槽でトイレ排水を浄化処理する図２や図３の給排水系の浄化槽とするか、トイレ汚水を下水道へ流す図４や図５に示す給排水系とするかにより異なるが、通常、トイレ汚水を含む高濃度汚水処理槽Ｘ（又はトイレ汚水を含まない高濃度排水処理槽）の槽容量を全体の２／３〜３／４程度、低濃度排水処理槽Ｙを１／３〜１／４程度としている。
【００３２】
その内、一方の高濃度汚水処理槽Ｘは、高濃度の汚水排水が流入する流入管２側から、処理水の放流管３側にかけて、汚水処理の工程順に応じて複数の処理槽に区画され、具体的には、流入する汚水排水を嫌気処理する一次処理槽４と、その一次処理水を好気処理する二次処理槽５と、その二次処理水を貯留する処理水槽６と、それを消毒処理する消毒槽７とからなる。
【００３３】
この高濃度汚水処理槽Ｘで浄化処理される対象として、図２と図３に示す浄化槽地域の場合では、トイレ汚水、通常の台所排水、ディスポーザにより細断され水により排出される生ゴミ排水等の高濃度汚水排水が対象となる。
また、図４と図５に示す下水道地域の場合では、トイレ排水を含まない生ゴミ排水、通常の台所排水等の高濃度排水が対象となる。
そこで、汚濁物質濃度の高い生ゴミ排水、台所排水等を対象とし、トイレ排水を含まない排水処理槽を、高濃度排水処理槽Ｘという。
【００３４】
図１において、８は一次処理槽４と二次処理槽５との隔壁であって、一次処理水が隔壁８に設けた移流口から二次処理槽５に移流する。
９は二次処理槽５と処理水槽６との隔壁であって、二次処理水が隔壁９の底部開口を潜流して処理水槽６へ移流する。
１１は処理水槽６と消毒槽７との隔壁であって、処理水槽６に貯留された上澄液が消毒槽７へ越流して消毒処理に供される。
【００３５】
また、他方の低濃度排水処理槽Ｙは、排水が流入する流入管１１側から、処理水の移流管１２側にかけて、排水再生処理の工程順に応じて複数の処理槽に区画され、具体的には、流入する排水の一次処理槽１３と、当該一次処理水の二次処理槽１４と、当該二次処理水の処理水槽１５と、それを消毒処理する消毒槽１６と、消毒処理した中水の貯水槽１７とからなる。
【００３６】
この排水処理槽Ｙでの処理対象としては、浄化槽地域、下水道地域を問わず、図２〜図５に示す生活雑排水の内、汚濁物質濃度の低い浴室汚水、洗濯排水、洗面排水等の低濃度排水が対象となる。
【００３７】
また、この排水処理槽Ｙの場合も、前記した汚水処理槽Ｘの場合と同様に、各処理槽１３〜１７が、隔壁１８〜２１により、図１に示すように区画形成している。
その内、隔壁１８により、一次処理槽１３と二次処理槽１４を区画し、また、隔壁１９により、二次処理槽１４と処理水槽１５、消毒槽１６を区画している。
また、隔壁２０により、処理水槽１６と消毒槽１６を区画し、隔壁２１により、処理水槽１５、消毒槽１６と貯水槽１７を区画している。
【００３８】
２２は貯水槽１７の中水を汲み上げるポンプであって、図１に示すように、貯水槽１７の槽内に設置するか、或いは、移流管１２に接続される中水道配管２３の途中に設けられる。
中水道配管２３は、ポンプ２２により汲み上げた中水を、トイレの洗浄用水、洗車用水、庭木の散水用水等として再利用するために屋内外に配管される。
【００３９】
２４、２５は移流管とその逆止弁であって、排水処理槽Ｙの一次処理槽１３と汚水処理槽Ｘの一次処理槽４を区画する仕切板１の上方部に設けられ、一次処理槽１３に流入した余剰排水を、汚水処理槽Ｘの一次処理槽４へオーバーフローさせ、逆止弁２５により逆流を防止している。
当然のことながら、排水処理槽Ｙ側の一次処理槽１３の水位線が、汚水処理槽Ｘ側の一次処理槽４の水位線より、一段と高い位置となるように設定されていることから、本来、逆止弁２５は、不要であるが、万が一の為に装着しておくことが好ましい。
【００４０】
【変形例】
図１において、２６はバイパス管であって、想像線に示すように、排水処理槽Ｙへの流入排水の余剰分を、排水流入管１１の途中から槽外をバイパスさせて汚水流入管２へ移流するように配管している。
従って、流入排水の余剰分を、汚水処理槽Ｘの一次処理槽４へ流入させる手段としては、槽内に設けた前記移流管２４から直接オーバーフローさせるか、槽外に配管したバイパス管２５から流入させる、とのいずれかにより対処する。
【００４１】
而して、トイレ汚水や台所排水や生ゴミ排水等の高濃度の汚水排水が、汚水流入管２から一次処理槽４へ流入すると、当該一次処理槽４の前段で、汚水中の夾雑物を沈殿分離させることで除去するか、或いは、嫌気濾床槽第１室での嫌気処理した上で、それを後段の嫌気濾床槽で再び嫌気処理することで一次処理がなされる。
【００４２】
一次処理水が、次の二次処理槽５へ移流すると、通常、散気装置からの噴出空気により、流動床担体を介して生物濾過処理したり、接触濾材による曝気処理がなされたり、又は、槽内の活性汚泥中に浸漬した不織布膜モジュールによりダイナミック濾過処理したり、或いは、精密平膜モジュールと吸引ポンプにより吸引濾過することにより浄化処理される。
【００４３】
その後、二次処理水は、隔壁９から次の処理水槽６へ潜流して貯留され、消毒槽７での消毒処理に供された上で、槽外へ放流される。
【００４４】
他方、生活雑排水の内、浴室排水や洗濯排水や洗面排水等の低濃度排水が、排水流入管１１から一次処理槽１３へ流入すると、当該一次処理槽１３では、排水中の夾雑物を沈殿分離することで除去したり、スクリーン等により除去した上で一次処理する。
【００４５】
この一次処理水が、次の二次処理槽１４へ移流すると、通常、散気装置からの噴出空気により、流動床担体を介して生物濾過処理したり、接触濾材による曝気処理したり、又は、槽内に浸漬した不織布膜モジュールによりダイナミック濾過したり、或いは、精密平膜モジュールと吸引ポンプにより吸引濾過することで、再利用水として使用可能な中水に再生処理される。
【００４６】
更に、その濾過処理水を、必要に応じて次の処理水槽１５へ移流して貯留した上で、消毒槽１６での消毒処理に供する。
消毒処理された中水は、最後に、貯水槽１７へ移流して貯留され、槽内外のいずれかに設けたポンプ２２により汲み上げられ、中水道配管２３へ供給されることで、再利用に供される。
【００４７】
【変形例】
尚、前記した排水処理槽Ｙの二次処理槽１４が、膜処理槽である場合には、その濾過処理水を直接消毒槽１６へ移流することができる。
また、貯水槽１７を屋外に単独に設置するような場合には、移流管１２を消毒槽１６に接続し、ポンプ２２により屋外貯水槽（図示せず）に汲み上げることになる。
【００４８】
【発明の効果】
本発明は、前記のように、ディスポーザにより細断された生ゴミ排水とトイレ汚水等を対象とする高濃度汚水処理槽、又は、生ゴミ排水と台所排水等を対象とする高濃度排水処理槽と、汚濁物質濃度の低い排水を処理する低濃度排水処理槽を、単一槽に組み込み一体化してなるディスポーザ対応型のハイブリッド処理槽としたので、汚濁物質濃度の高低に対応した汚水排水の分別処理と、低濃度排水を中水として処理することが、適切且つ極めて効率良く行なうことができる。
【００４９】
従って、ディスポーザを使用することから生ずる処理負荷の増大という課題を、下水道地域の場合にあっては、下水道、下水処理施設にかける負担を軽減する為に、トイレ排水を含まない生ゴミ排水、台所排水等を処理する高濃度排水処理槽により解決し、また、浄化槽地域の場合には、トイレ汚水を含む生ゴミ排水、台所排水等を高濃度汚水処理槽において、通常の浄化槽と同等レベルまで浄化処理して放流することで、ディスポーザの普及に対応することができる。
【００５０】
また、中水利用のための低濃度排水処理槽を組み込んでいるので、水の再利用を促進し、水使用量の増加という課題をも解決する。
具体的には、他方の低濃度排水処理槽により、生活雑排水の中で、比較的汚れ度合の低い浴室排水や洗濯排水や洗面排水等を、トイレの洗浄用水、洗車用水、庭木の散水用水等の中水として、再利用することができ、節水と、水資源の有効利用に貢献する、等の絶大な効果を発揮する。
【００５１】
その際、単一の槽内を仕切板によって、高濃度汚水処理槽又は高濃度排水処理槽と低濃度排水処理槽に区画することにより、トイレの洗浄用水、洗車用水、庭木の散水用水等の中水として再利用するための低濃度排水処理槽が、高濃度汚水処理槽の流入汚水や高濃度排水処理槽の排水により汚染されることがない。
【００５２】
また、低濃度排水処理槽の消毒槽又は貯水槽が満水状態のときに、当該低濃度排水処理槽の一次処理槽へ流入する排水（余剰分）を、高濃度汚水処理槽の一次処理槽へオーバーフローで流入させることにより、流入排水の余剰分を汚濁物質濃度の高い汚水排水との合併処理に供している。
その為、貯水槽が満タン状態となった場合における、流入排水の余剰分の処理が損なわれることもない。
【００５３】
また、低濃度排水処理槽で消毒処理した中水を、その消毒槽又は貯水槽からポンプアップする手段を組み込むことで、通常、地中に埋設したハイブリッド処理槽から中水を汲み上げて、再利用するに利便としている。
【図面の簡単な説明】
【図１】浄化槽地域に設置されるハイブリッド浄化槽、又は、下水道地域に設置されるハイブリッド処理槽の概要平面図である。
【図２】浄化槽地域に設置されるディスポーザ対応型のハイブリッド浄化槽への配管系の第１例を示す図であって、ディスポーザを台所の流し台の排水口の直下部に組み込んだ場合における給排水のフローを示している。
【図３】同じく浄化槽地域に設置されるディスポーザ対応型のハイブリッド浄化槽への配管系の第２例を示す図であって、ディスポーザを台所の流し台の近傍（排水口以外）適所、又は、それ以外の洗濯排水やトイレ汚水の近傍適所、或いは、高層住宅における各階の適所、例えば、ダストシュート位置に隣接して組み込んだ場合における給排水のフローを示している。
【図４】トイレ汚水を下水道に流す下水道地域に設置されるディスポーザ対応型のハイブリッド処理槽への配管フローの第１例を示す図であって、ディスポーザを台所の流しの直下部に組み込んだ場合における給排水のフローを示している。
【図５】同じく下水道地域に設置されるディスポーザ対応型のハイブリッド処理槽への配管系の第２例を示す図であって、ディスポーザを台所の流し台の近傍（排水口以外）適所、又は、それ以外の洗濯排水やトイレ汚水の近傍適所、或いは、高層住宅における各階の適所、例えば、ダストシュート位置に隣接して組み込んだ場合における給排水のフローを示している。
【符号の説明】
Ｘ  高濃度汚水処理槽又は高濃度排水処理槽
Ｙ  低濃度排水処理槽
１  仕切板
２  汚水流入管
３  放流管
４、１３  一次処理槽
５、１４  二次処理槽
６、１５  処理水槽
７、１６  消毒槽
８、９、１０、１８、１９、２０、２１  隔壁
１１  排水流入管
１２、２４  移流管
１７  貯水槽
２２  ポンプ
２３  中水道配管
２５  逆止弁
２６  バイパス管
【図１】
0004597420.tif 000002
【図２】
0004597420.tif 000003
【図３】
0004597420.tif 000004
【図４】
0004597420.tif 000005
【図５】
0004597420.tif 000006